(57)【要約】【課題】ＵＥ１５１で用い得る複数の電話番号のうちの一のものをＵＥ１５２に移行させて独立に用いることができるようにする。【解決手段】電話番号に各対応してＨＬＲ１１０，１２０を設置し、同一の加入者に帰属するＵＥ１５１，１５２による各通信に各別に関与するＭＳＣ／ＶＬＲ１３０，１４０を含んで呼接続制御システム１００を構築する。ＨＬＲ１１０，１２０は、ＵＥ１５１で用いる一の電話番号（Ａ）と他の電話番号（Ｂ）とをＵＥ１５２で独立に用いる他機独立通信モードの契約情報を保持し、ＭＳＣ／ＶＬＲ１３０，１４０は、ＵＥ１５１で他機独立通信モードが選択された場合には、上記契約に基づいてＵＥ１５２で電話番号（Ｂ）での呼接続制御をＵＥ１５１での電話番号（Ａ）での呼接続制御とは独立に実行する。【選択図】  図１
2011049972.tif 000002
【特許請求の範囲】
【請求項１】
一の移動端末装置に対応付けられた複数の電話番号毎に各別に対応して設置された複数のホームロケーションレジスタと、同一の加入者に帰属する当該一の移動端末装置および当該他の移動端末装置によるそれぞれの通信に各別に関与する複数の交換機とを含む呼接続制御システムであって、
前記複数の各ホームロケーションレジスタは、該当する一の移動端末装置に複数の電話番号が対応付けられ該複数の電話番号のうちの当該一の移動端末装置で用いる一の電話番号とは異なる他の電話番号を当該他の移動端末装置で独立に用いる他機独立通信モードを許諾する他機独立通信モード許諾契約情報および加入者プロファイルならびに該当する電話番号がそれぞれ登録された登録情報保持部を備え、
前記複数の各交換機は、該当する移動端末装置において前記他機独立通信モードが選択された場合に前記他機独立通信モード許諾契約に基づいて当該他の移動端末装置で用いる当該他の電話番号に係る呼接続制御を当該一の移動端末装置で用いる一の電話番号に係る呼接続制御とは独立に実行する呼接続制御部を備えている
ことを特徴とする呼接続制御システム。
【請求項２】
一の移動端末装置に対応付けられた複数の電話番号毎に各別に対応して設置された複数のホームロケーションレジスタと、同一の加入者に帰属する当該一の移動端末装置および当該他の移動端末装置によるそれぞれの通信に各別に関与する複数の交換機とを含む呼接続制御システムに適用されるホームロケーションレジスタであって、
該当する一の移動端末装置に複数の電話番号が対応付けられ該複数の電話番号のうちの当該一の移動端末装置で用いる一の電話番号とは異なる他の電話番号を当該他の移動端末装置で独立に用いる他機独立通信モードを許諾する他機独立通信モード許諾契約情報および加入者プロファイルならびに該当する電話番号がそれぞれ登録された登録情報保持部を備えていることを特徴とするホームロケーションレジスタ。
【請求項３】
前記登録情報保持部に保持された他機独立通信モード許諾契約における当該他の移動端末装置に対応する仮想ＩＭＳＩ（International Mobile Subscriber Identity）を保持する仮想ＩＭＳＩ保持部を備えていることを特徴とする請求項２のホームロケーションレジスタ。
【請求項４】
一の移動端末装置に対応付けられた複数の電話番号毎に各別に対応して設置された複数のホームロケーションレジスタと、同一の加入者に帰属する当該一の移動端末装置および当該他の移動端末装置によるそれぞれの通信に各別に関与する複数の交換機とを含み、且つ、前記複数の各ホームロケーションレジスタは該当する一の移動端末装置に複数の電話番号が対応付けられ該複数の電話番号のうちの当該一の移動端末装置で用いる一の電話番号とは異なる他の電話番号を当該他の移動端末装置で独立に用いる他機独立通信モードを許諾する他機独立通信モード許諾契約情報および加入者プロファイルならびに該当する電話番号がそれぞれ登録された登録情報保持部を備えている呼接続制御システムに適用される交換機であって、
該当する移動端末装置において前記他機独立通信モードが選択された場合に前記他機独立通信モード許諾契約に基づいて当該他の移動端末装置で用いる当該他の電話番号に係る呼接続制御を当該一の移動端末装置で用いる一の電話番号に係る呼接続制御とは独立に実行する呼接続制御部を備えていることを特徴とする交換機。
【請求項５】
一の移動端末装置に対応付けられた複数の電話番号毎に各別に対応して設置された複数のホームロケーションレジスタと、同一の加入者に帰属する当該一の移動端末装置および当該他の移動端末装置によるそれぞれの通信に各別に関与する複数の交換機とを含み、前記複数の各ホームロケーションレジスタは、該当する一の移動端末装置に複数の電話番号が対応付けられ該複数の電話番号のうちの当該一の移動端末装置で用いる一の電話番号とは異なる他の電話番号を当該他の移動端末装置で独立に用いる他機独立通信モードを許諾する他機独立通信モード許諾契約情報および加入者プロファイルならびに該当する電話番号がそれぞれ登録された登録情報保持部を備え、前記複数の各交換機は、該当する移動端末装置において前記他機独立通信モードが選択された場合に前記他機独立通信モード許諾契約に基づいて当該他の移動端末装置で用いる当該他の電話番号に係る呼接続制御を当該一の移動端末装置で用いる一の電話番号に係る呼接続制御とは独立に実行する呼接続制御部を備えている呼接続制御システムにおいて使用される移動端末装置であって、
前記他機独立通信モードへ遷移するためのモード遷移操作部を備えていることを特徴とする移動端末装置。
【発明の詳細な説明】
【技術分野】
【０００１】
本発明は、単一の移動端末装置に対して複数の電話番号が付与される移動通信サービスにおける、呼接続制御システム、ホームロケーションレジスタ、交換機、移動端末装置に関する。
【背景技術】
【０００２】
同じ世帯で複数の移動端末装置について加入契約を締結していると、例えば父親は平日のみ移動端末装置を使用する一方で娘は休日のみ移動端末装置を使用するといったように、同時に使用することは滅多にないにもかかわらず基本料金は減免されず不経済であるといった状況に対処しようとする提案がある（例えば、特許文献１参照）。
特許文献１には、加入契約者が別個の電話番号が割り当てられた複数の移動端末装置の使用契約が締結されている場合に、通信事業者側および加入契約者側の双方の負担を軽減可能な通信システムが提案されている。
【０００３】
この特許文献１には、複数の移動端末装置についてそれらを択一的に通信可能とさせる択一的通信許可手段を備え、通信可能な移動端末装置を切替えるための切替え要求を、目下の時点で通信可能となっている移動端末装置より受け付けた場合にのみ、通信可能な移動端末装置の切替え処理を実行することが開示されている。
何れか１つの移動端末装置のみを択一的に通信可能とさせるので、回線の混雑を抑制でき、従って、事業者側における設備投資費用を軽減できる。この結果として、一の加入契約者が複数の移動端末装置について加入契約を締結する場合における基本料金を比較的低料金に設定することができるとされている。
【０００４】
また、同一の移動端末装置で複数の加入者番号を利用する場合に、通常の移動端末装置でサービス内容の異なる電話番号の使用を許容し、且つ、容易に何れの電話番号からの発信も可能な移動端末装置の通信方式に係る提案もある（例えば、特許文献２参照）。
特許文献２では、メインの電話番号とサブの電話番号とを予めデータベースに登録し、適宜発信登録を変更することにより、それぞれサービス契約の異なる複数の電話番号を使い分けられ、且つ、移動端末装置に特別な機能を必要としない。更に、課金条件や着信条件も所望の条件に設定可能であるとされている。
【０００５】
更にまた、単一の移動端末装置に恒常的に複数の電話番号を割当てて運用する携帯電話通信システムで、複数の電話番号の使い分けに変更がある場合、適宜この変更に応じることを可能にする移動通信システムが提案されている（例えば、特許文献３参照）。
特許文献３では、基地局により、単一の方式の無線インタフェースを介して移動端末装置との通信を行う移動通信システムにより移動端末装置による発着信を管理し、複数の電話番号の用途や目的による使い分けに関する変更に応じることが開示されている。
【０００６】
尚、現在、移動体通信システムの標準規格である３ＧＰＰ（3rd Generation Partnership Project）では、一の移動端末装置のＳＩＭ（Subscriber Identification Module）に記録されている一つのＩＭＳＩ（International Mobile User Identity）に対し複数の電話番号が登録可能である旨規定されている。
上述のような３ＧＰＰの規定に準拠して、複数の電話番号が一の移動端末装置に登録されている場合に、パケット接続の許可された電話番号以外の他の電話番号を用いたときにも、サービスプロバイダに接続してパケット通信を行うことができる通信制御方法に関する提案もある（例えば、特許文献４参照）。
【０００７】
特許文献４では、移動端末装置とのパケット接続がサービスプロバイダにより許可された電話番号と移動端末装置の通知番号とが異なる場合には、制御ノードがローミング用の通信制御装置からこの電話番号を取得することにより、一の移動機に登録されている複数の電話番号のうち一の電話番号に対してのみパケット接続を許可するようなサービスプロバイダに対してもパケット通信を行うことができるようにする技術が開示されている。
【先行技術文献】
【特許文献】
【０００８】
【特許文献１】特開２００５−３３６６８号公報
【特許文献２】特開２００３−１１１１４０号公報
【特許文献３】特開２００２−１５２７９３号公報
【特許文献４】特開２００８−１２５０１４号公報
【発明の概要】
【発明が解決しようとする課題】
【０００９】
既述の従来の技術によれば、一の移動端末装置で複数の電話番号を使用することは可能である。この場合、一の移動端末装置で用い得る複数の電話番号のうちの一のものをユーザの任意に応じて他の移動端末装置に移行させて独立に用いることができれば極めて便利である。しかしながら、上述のように用いるための方途は未だ提案されていない。
本発明は上述のような状況に鑑みてなされたものであり、一の移動端末装置で用い得る複数の電話番号のうちの一のものをユーザの任意に応じて他の移動端末装置に移行させて独立に用いることができるようにした呼接続制御システム、ホームロケーションレジスタ、交換機、移動端末装置を提供することをその目的とする。
【課題を解決するための手段】
【００１０】
上記課題を解決するために、ここに、以下に列記する技術を提案する。
（１）一の移動端末装置に対応付けられた複数の電話番号毎に各別に対応して設置された複数のホームロケーションレジスタと、同一の加入者に帰属する当該一の移動端末装置および当該他の移動端末装置によるそれぞれの通信に各別に関与する複数の交換機とを含む呼接続制御システムであって、
前記複数の各ホームロケーションレジスタは、該当する一の移動端末装置に複数の電話番号が対応付けられ該複数の電話番号のうちの当該一の移動端末装置で用いる一の電話番号とは異なる他の電話番号を当該他の移動端末装置で独立に用いる他機独立通信モードを許諾する他機独立通信モード許諾契約情報および加入者プロファイルならびに該当する電話番号がそれぞれ登録された登録情報保持部を備え、
前記複数の各交換機は、該当する移動端末装置において前記他機独立通信モードが選択された場合に前記他機独立通信モード許諾契約情報に基づいて当該他の移動端末装置で用いる当該他の電話番号に係る呼接続制御を当該一の移動端末装置で用いる一の電話番号に係る呼接続制御とは独立に実行する呼接続制御部を備えている
ことを特徴とする呼接続制御システム。
【００１１】
上記（１）の呼接続制御システムは、一の移動端末装置に対応付けられた複数の電話番号毎に各別に対応して設置された複数のホームロケーションレジスタと、同一の加入者に帰属する当該一の移動端末装置および当該他の移動端末装置によるそれぞれの通信に各別に関与する複数の交換機とを含む。
そのホームロケーションレジスタにおける登録情報保持部には、該当する一の移動端末装置に複数の電話番号が対応付けられ該複数の電話番号のうちの当該一の移動端末装置で用いる一の電話番号とは異なる他の電話番号を当該他の移動端末装置で独立に用いる他機独立通信モードを許諾する他機独立通信モード許諾契約情報および加入者プロファイルならびに該当する電話番号がそれぞれ登録されている。
また、その各交換機における呼接続制御部では、該当する移動端末装置において前記他機独立通信モードが選択された場合に前記他機独立通信モード許諾契約情報に基づいて当該他の移動端末装置で用いる当該他の電話番号に係る呼接続制御を当該一の移動端末装置で用いる一の電話番号に係る呼接続制御とは独立に実行する。
【００１２】
（２）一の移動端末装置に対応付けられた複数の電話番号毎に各別に対応して設置された複数のホームロケーションレジスタと、同一の加入者に帰属する当該一の移動端末装置および当該他の移動端末装置によるそれぞれの通信に各別に関与する複数の交換機とを含む呼接続制御システムに適用されるホームロケーションレジスタであって、
該当する一の移動端末装置に複数の電話番号が対応付けられ該複数の電話番号のうちの当該一の移動端末装置で用いる一の電話番号とは異なる他の電話番号を当該他の移動端末装置で独立に用いる他機独立通信モードを許諾する他機独立通信モード許諾契約情報および加入者プロファイルならびに該当する電話番号がそれぞれ登録された登録情報保持部を備えていることを特徴とするホームロケーションレジスタ。
【００１３】
上記（２）のホームロケーションレジスタは、一の移動端末装置に対応付けられた複数の電話番号毎に各別に対応して設置された複数のホームロケーションレジスタと、同一の加入者に帰属する当該一の移動端末装置および当該他の移動端末装置によるそれぞれの通信に各別に関与する複数の交換機とを含む呼接続制御システムに適用される。
その登録情報保持部には、該当する一の移動端末装置に複数の電話番号が対応付けられ該複数の電話番号のうちの当該一の移動端末装置で用いる一の電話番号とは異なる他の電話番号を当該他の移動端末装置で独立に用いる他機独立通信モードを許諾する他機独立通信モード許諾契約情報および加入者プロファイルならびに該当する電話番号がそれぞれ登録されている。
上記構成によるホームロケーションレジスタは、これに対応する上記交換機との協働により、当該他の電話番号を当該他の移動端末装置で独立に用いることを可能にする。
【００１４】
（３）前記登録情報保持部に保持された他機独立通信モード許諾契約情報における当該他の移動端末装置に対応する仮想ＩＭＳＩ（International Mobile Subscriber Identity）を保持する仮想ＩＭＳＩ保持部を備えていることを特徴とする（２）のホームロケーションレジスタ。
上記（３）のホームロケーションレジスタは、（２）のホームロケーションレジスタにおいて特に、その仮想ＩＭＳＩ保持部が、登録情報保持部に保持された他機独立通信モード許諾契約情報における当該他の移動端末装置に対応する仮想ＩＭＳＩ（International Mobile Subscriber Identity）を保持する。
【００１５】
（４）一の移動端末装置に対応付けられた複数の電話番号毎に各別に対応して設置された複数のホームロケーションレジスタと、同一の加入者に帰属する当該一の移動端末装置および当該他の移動端末装置によるそれぞれの通信に各別に関与する複数の交換機とを含み、且つ、前記複数の各ホームロケーションレジスタは該当する一の移動端末装置に複数の電話番号が対応付けられ該複数の電話番号のうちの当該一の移動端末装置で用いる一の電話番号とは異なる他の電話番号を当該他の移動端末装置で独立に用いる他機独立通信モードを許諾する他機独立通信モード許諾契約情報および加入者プロファイルならびに該当する電話番号がそれぞれ登録された登録情報保持部を備えている呼接続制御システムに適用される交換機であって、
該当する移動端末装置において前記他機独立通信モードが選択された場合に前記他機独立通信モード許諾契約情報に基づいて当該他の移動端末装置で用いる当該他の電話番号に係る呼接続制御を当該一の移動端末装置で用いる一の電話番号に係る呼接続制御とは独立に実行する呼接続制御部を備えていることを特徴とする交換機。
【００１６】
上記（４）の交換機は、一の移動端末装置に対応付けられた複数の電話番号毎に各別に対応して設置された複数のホームロケーションレジスタと、同一の加入者に帰属する当該一の移動端末装置および当該他の移動端末装置によるそれぞれの通信に各別に関与する複数の交換機とを含み、且つ、前記複数の各ホームロケーションレジスタは該当する一の移動端末装置に複数の電話番号が対応付けられ該複数の電話番号のうちの当該一の移動端末装置で用いる一の電話番号とは異なる他の電話番号を当該他の移動端末装置で独立に用いる他機独立通信モードを許諾する他機独立通信モード許諾契約情報および加入者プロファイルならびに該当する電話番号がそれぞれ登録された登録情報保持部を備えている呼接続制御システムに適用される。
そして、その呼接続制御部が、該当する移動端末装置において前記他機独立通信モードが選択された場合に前記他機独立通信モード許諾契約情報に基づいて当該他の移動端末装置で用いる当該他の電話番号に係る呼接続制御を当該一の移動端末装置で用いる一の電話番号に係る呼接続制御とは独立に実行する。
【００１７】
（５）一の移動端末装置に対応付けられた複数の電話番号毎に各別に対応して設置された複数のホームロケーションレジスタと、同一の加入者に帰属する当該一の移動端末装置および当該他の移動端末装置によるそれぞれの通信に各別に関与する複数の交換機とを含み、前記複数の各ホームロケーションレジスタは、該当する一の移動端末装置に複数の電話番号が対応付けられ該複数の電話番号のうちの当該一の移動端末装置で用いる一の電話番号とは異なる他の電話番号を当該他の移動端末装置で独立に用いる他機独立通信モードを許諾する他機独立通信モード許諾契約情報および加入者プロファイルならびに該当する電話番号がそれぞれ登録された登録情報保持部を備え、前記複数の各交換機は、該当する移動端末装置において前記他機独立通信モードが選択された場合に前記他機独立通信モード許諾契約情報に基づいて当該他の移動端末装置で用いる当該他の電話番号に係る呼接続制御を当該一の移動端末装置で用いる一の電話番号に係る呼接続制御とは独立に実行する呼接続制御部を備えている呼接続制御システムにおいて使用される移動端末装置であって、
前記他機独立通信モードへ遷移するためのモード遷移操作部を備えていることを特徴とする移動端末装置。
【００１８】
上記（５）の移動端末装置は、一の移動端末装置に対応付けられた複数の電話番号毎に各別に対応して設置された複数のホームロケーションレジスタと、同一の加入者に帰属する当該一の移動端末装置および当該他の移動端末装置によるそれぞれの通信に各別に関与する複数の交換機とを含み、前記複数の各ホームロケーションレジスタは、該当する一の移動端末装置に複数の電話番号が対応付けられ該複数の電話番号のうちの当該一の移動端末装置で用いる一の電話番号とは異なる他の電話番号を当該他の移動端末装置で独立に用いる他機独立通信モードを許諾する他機独立通信モード許諾契約情報および加入者プロファイルならびに該当する電話番号がそれぞれ登録された登録情報保持部を備え、前記複数の各交換機は、該当する移動端末装置において前記他機独立通信モードが選択された場合に前記他機独立通信モード許諾契約情報に基づいて当該他の移動端末装置で用いる当該他の電話番号に係る呼接続制御を当該一の移動端末装置で用いる一の電話番号に係る呼接続制御とは独立に実行する呼接続制御部を備えている呼接続制御システムにおいて使用される。
そして、そのモード遷移操作部は、操作に応じて当該移動端末装置の動作モードを他機独立通信モードへと遷移させる。
【発明の効果】
【００１９】
一の移動端末装置で用い得る複数の電話番号のうちの一のものをユーザの任意に応じて他の移動端末装置に移行させて独立に用いることができるようにした呼接続制御システム、ホームロケーションレジスタ、交換機、移動端末装置が実現される。
【図面の簡単な説明】
【００２０】
【図１】本発明の一つの実施の形態としての呼接続制御システムの構成を表す概念図である。
【図２】図１における第１の移動端末装置を複数番号モードに設定する場合の動作を表すシーケンスチャートである。
【図３】図１における第２の移動端末装置を他機独立通信モードに設定する場合の動作を表すシーケンスチャートである。
【図４】図１における第１の移動端末装置が複数番号モードに設定されている状態で、位置登録を行うときの動作を表すシーケンスチャートである。
【図５】図１における第１の移動端末装置が単一番号モードに設定されている状態で、位置登録を行うときの動作を表すシーケンスチャートである。
【図６】第１の移動端末装置が複数番号モードに設定されている状態では、第２の移動端末装置を用いた位置登録は行われない状況を表すシーケンスチャートである。
【図７】第１の移動端末装置が他機独立通信モードに設定されている状態で、第２の移動端末装置が独立に他の電話番号を用いて位置登録が行われる状況を表すシーケンスチャートである。
【図８】本発明の一つの実施の形態としての移動端末装置を表すブロック図である。
【発明を実施するための形態】
【００２１】
以下に、図面を参照して本発明の実施の形態について詳述することにより、本発明を明らかにする。
（呼接続制御システムの構成）
図１は、本発明の一つの実施の形態としての呼接続制御システムの構成を表す概念図である。この概念図では、本発明を構成する要素とは直接関係がないインフラストラクチャについては図示されていない。周知のとおり、移動通信が成立するについては無線区間の信号伝送を担う基地局その他のインフラストラクチャの介在があるが、当業者に明らかなこれらの点については、以下、特段言及しない。
【００２２】
図１において、呼接続制御システム１００は、第１のホームロケーションレジスタ（以下第１ＨＬＲという。図の表記について同様）１１０、第２ホームロケーションレジスタ（以下第２ＨＬＲという。図の表記について同様）１２０、第１の交換機（交換機の機能を含むノードであり以下第１ＭＳＣ／ＶＬＲという。図の表記について同様）１３０、第２の交換機（交換機の機能を含むノードであり以下第２ＭＳＣ／ＶＬＲという。図の表記について同様）１４０を含む。
【００２３】
尚、この呼接続制御システム１００における第１ＨＬＲ１１０および第２ＨＬＲ１２０には、顧客管理システム１０１と結ばれ、この顧客管理システム１０１から加入者契約に関する諸事項のデータが入力される。
第１ＨＬＲ１１０は、移動端末装置（以下、適宜、第１移動端末装置という）１５１に対応付けられた複数の電話番号毎のうち第１電話番号に対応して設置されている。そして、その登録情報保持部１１１には、他機独立通信モード許諾契約１１２および加入者プロファイル１１３ならびに該当する電話番号（第１電話番号）１１４をそれぞれ表すデータが各登録されている。
【００２４】
上述の登録情報保持部１１１には、更に、ＩＭＳＩ保持部１１５が設定されており、ここに他機独立通信モード許諾契約１１２に基づく加入者のＩＭＳＩ（International Mobile Subscriber Identity）が保持されている。
また、第２ＨＬＲ１２０は、移動端末装置１５１に対応付けられた複数の電話番号毎のうち第２電話番号に対応して設置されている。そして、その登録情報保持部１２１には、他機独立通信モード許諾契約１２２および加入者プロファイル１２３ならびに該当する電話番号（第２電話番号）１２４をそれぞれ表すデータが各登録されている。
【００２５】
本例では、上述の登録情報保持部１２１に、更に、仮想ＩＭＳＩ保持部１２５が設定されており、ここに他機独立通信モード許諾契約１２２に基づく仮想的な加入者のＩＭＳＩである仮想ＩＭＳＩが保持されている。この仮想ＩＭＳＩは、他機独立通信モード許諾契約の締結に際して、上述の顧客管理システム１０１から設定される。
ここに、他機独立通信モード許諾契約とは、該当する一の移動端末装置に複数の電話番号が対応付けられ該複数の電話番号のうちの当該一の移動端末装置で用いる一の電話番号（例えば、第１電話番号）とは異なる他の電話番号（例えば、第２電話番号）を当該他の移動端末装置で独立に用いる他機独立通信モードを許諾する契約またはその情報である。
【００２６】
一方、第１ＭＳＣ／ＶＬＲ１３０は、呼接続制御部１３１を備えている。この呼接続制御部１３１が、該当する移動端末装置１５１から他機独立通信モードが選択された場合に他機独立通信モード許諾契約１１２に基づいて当該他の移動端末装置１５２で用いる当該他の電話番号（第２電話番号）に係る呼接続制御を当該一の移動端末装置１５１で用いる一の電話番号（第１電話番号）に係る呼接続制御とは独立に実行する。
【００２７】
また、本例の呼接続制御システム１００では、第２ＭＳＣ／ＶＬＲ１４０は、上述の第１ＭＳＣ／ＶＬＲ１３０と同様の構成を有する。即ち、呼接続制御部１４１を備え、その呼接続制御部１４１が、該当する移動端末装置において他機独立通信モードが選択された場合に他機独立通信モード許諾契約に基づいて当該他の移動端末装置で用いる当該他の電話番号に係る呼接続制御を当該一の移動端末装置で用いる一の電話番号に係る呼接続制御とは独立に実行する。
【００２８】
上述の構成において、第１移動端末装置１５１が第１ＭＳＣ／ＶＬＲ１３０の関与によって通信を行う地点にある前提で、他の加入契約者の移動端末装置（不図示）に向けて発信を行う場合には、この第１ＭＳＣ／ＶＬＲ１３０および公知のＧＭＳＣ（Gateway Mobile Switching Centre）１６０を経て呼接続（発信）が行われる。図１では、この経路が実線の矢線で示されている。
また、上述同様の前提で、他の加入契約者からこの第１移動端末装置１５１に向けて着信がある場合には、ＧＭＳＣ１６０を経て後、第１ＨＬＲ１１０を参照して第１ＭＳＣ／ＶＬＲ１３０を通し、呼接続（着信）が行われる。図１では、この経路が破線の矢線で示されている。
【００２９】
（呼接続制御システムの動作）
次に、シーケンスチャートを参照して図１の呼接続制御システムの動作について説明する。以下の各シーケンスチャートにおいて、第１移動端末装置１５１を第１ＵＥと表記し、第２移動端末装置１５２を第２ＵＥと表記すると共に、これら各シーケンスチャートを参照して行う説明では、第１ＵＥおよび第２ＵＥの称呼を用いる。
図２は、図１における第１の移動端末装置を、所定の複数の何れの電話番号を用いても通信可能な複数番号モードに設定する場合の動作を表すシーケンスチャートである。ここに、第１ＨＬＲおよび第２ＨＬＲには、既に、上述の複数番号モードの契約（該契約情報）が保持されていると想定している。
【００３０】
第１ＵＥに対するユーザの操作に基づいて、複数番号モードに設定するモード切替え信号が、第１ＵＥから第１ＭＳＣ／ＶＬＲを経て（ステップＳ２０１）、第２ＨＬＲに送られる（ステップＳ２０２）。
第２ＨＬＲは、ステップＳ２０２での信号を受けて、自ら上述の複数番号モードへと設定を切替える（ステップＳ２０３）。そして、この複数番号モードへの切替えを許諾するためのモード切替え許諾応答を、第１ＭＳＣ／ＶＬＲを経て（ステップＳ２０４）、第１ＵＥに返す（ステップＳ２０５）。
第１ＵＥはステップＳ２０５の応答を受けて、上述の複数番号モードで動作する状態に移行する。該移行が完了すると第１ＵＥは、第１電話番号および第２電話番号の何れによっても受発信を行うことができる。
【００３１】
一方、図３は、図１における第２の移動端末装置（第２ＵＥ）を他機独立通信モードに設定する場合の動作を表すシーケンスチャートである。
既述のように、他機独立通信モードとは、該当する一の移動端末装置に複数の電話番号が対応付けられ該複数の電話番号のうちの当該一の移動端末装置で用いる一の電話番号（例えば、第１電話番号）とは異なる他の電話番号（例えば、第２電話番号）を当該他の移動端末装置で独立に用いる動作モードである。
ここに、第１ＨＬＲおよび第２ＨＬＲには、既に、上述の他機独立通信モードの契約（該契約情報）が保持されているものと想定している。
【００３２】
第１ＵＥから、他機独立通信モードへのモード切替え信号が発され（ステップＳ３０１）、第１ＭＳＣ／ＶＬＲを経て第２ＨＬＲに送信される（ステップＳ３０２）。
第２ＨＬＲはステップＳ３０２で他機独立通信モードへのモード切替え信号を受けると、自ら上述の他機独立通信モードへと設定を切替える（ステップＳ３０３）。
そして、この他機独立通信モードへの切替えを許諾するための他機独立通信モード許諾応答を、第１ＭＳＣ／ＶＬＲに向けて発する（ステップＳ３０４）と共に、この他機独立通信モード許諾応答を、第２ＭＳＣ／ＶＬＲに向けて発する（ステップＳ３０５）。
【００３３】
第１ＭＳＣ／ＶＬＲは、ステップＳ３０４で受けた他機独立通信モード許諾応答を第１ＵＥに転送する（ステップＳ３０６）。
また、第２ＭＳＣ／ＶＬＲは、ステップＳ３０５で受けた他機独立通信モード許諾応答を第２ＵＥに転送する（ステップＳ３０７）。
以上により、第１ＵＥでは第１電話番号を用いた受発信が可能になり、且つ、第２ＵＥでは第１ＵＥとは独立に第２電話番号を用いた受発信が可能になる。即ち、第１ＵＥおよび第２ＵＥは、他機独立通信モードでの受発信が可能になる。
【００３４】
他方、図４は、図１における第１の移動端末装置（第１ＵＥ）が複数番号モードに設定されている状態で、位置登録を行うときの動作を表すシーケンスチャートである。図４の場合も、図２について既述のように、第１ＨＬＲおよび第２ＨＬＲには、既に、上述の複数番号モードの契約（該契約情報）が保持されていると想定している。また、以下のシーケンスチャートにおいては、便宜上、図１における第１電話番号を、「Ａ番号」と称し、第２電話番号を、「Ｂ番号」と称する。
【００３５】
第１ＵＥから第１ＭＳＣ／ＶＬＲに端末接続／位置登録要求が送信されると（ステップＳ４０１）、これを受けた第１ＭＳＣ／ＶＬＲは、第１ＨＬＲに向けて位置登録要求を送信する（ステップＳ４０２）。
第１ＨＬＲは、ステップＳ４０２の位置登録要求を受けて、複数番号モードの正規の契約が締結されているか否かの契約判定を行う（ステップＳ４０３）。
ステップＳ４０３で正規の契約が締結されている旨確認されたときには、第１ＭＳＣ／ＶＬＲに加入者プロファイルがダウンロードされる（ステップＳ４０４）。このステップＳ４０４では、Ａ番号のＩＭＳＩ、Ｂ番号のＩＭＳＩ、Ａ番号（即ち、第１電話番号）、および、複数番号モードの正規の契約が締結されている旨のコードが、第１ＨＬＲから第１ＭＳＣ／ＶＬＲに送信される。
【００３６】
ステップＳ４０４でのデータ（コード）の移送を受けて、第１ＭＳＣ／ＶＬＲは、Ａ番号のＩＭＳＩ、Ａ番号（即ち、第１電話番号）、および、プロファイル等を保持する（ステップＳ４０５）。
第１ＭＳＣ／ＶＬＲは、ステップＳ４０５で保持したデータ（コード）に基づいて、契約情報に照らしてＢ番号（即ち、第２電話番号）に関する位置登録が必要であることを判定する（ステップＳ４０６）。
ステップＳ４０６での判定に基づいて、第１ＭＳＣ／ＶＬＲは、第２ＨＬＲに対し、Ｂ番号のＩＭＳＩとＢ番号（即ち、第２電話番号）に関する正規の契約が締結されている旨のコードとを伴なって、位置登録要求を発する（ステップＳ４０７）。
【００３７】
第２ＨＬＲは、ステップＳ４０７の位置登録要求を受けてモード判定を実行する（ステップＳ４０８）。
ステップＳ４０８で複数番号モードが選択されている旨判定されたときには、第１ＭＳＣ／ＶＬＲに加入者プロファイルがダウンロードされる（ステップＳ４０９）。このステップＳ４０９では、Ｂ番号のＩＭＳＩ、Ｂ番号（即ち、第２電話番号）、および、正規の契約が締結されている旨のコードが、第２ＨＬＲから第１ＭＳＣ／ＶＬＲに送信される。
【００３８】
ステップＳ４０９でのデータ（コード）の移送を受けて、第１ＭＳＣ／ＶＬＲは、Ｂ番号のＩＭＳＩ、Ｂ番号（即ち、第２電話番号）、および、プロファイル等を保持する（ステップＳ４１０）。
この結果、ステップＳ４０５およびステップＳ４１０を経て、第１ＭＳＣ／ＶＬＲでは、Ａ，Ｂの両電話番号について、ＩＭＳＩ、電話番号、および、プロファイル等が保持され、何れの電話番号でも受発信が可能になる。
【００３９】
第１ＭＳＣ／ＶＬＲは、ステップＳ４０９でデータ（コード）の移送を受け、ステップＳ４１０でこれらのデータを保持すると、第１ＨＬＲに対しダウンロード完了応答を発する（ステップＳ４１１）。
ステップＳ４１１の応答を受けて、第１ＨＬＲは、第１ＭＳＣ／ＶＬＲに位置登録更新完了応答を返す（ステップＳ４１２）。
ステップＳ４１２の応答を受けて、第１ＭＳＣ／ＶＬＲは、第１ＵＥに位置登録更新完了応答を転送する（ステップＳ４１３）。
【００４０】
図５は、図１における第１の移動端末装置（第１ＵＥ）が単一番号モードに設定されている状態で、位置登録を行うときの動作を表すシーケンスチャートである。ここに単一番号モードとは、一の移動端末装置で所定の一つの電話番号を用いるモードである。
第１ＵＥから第１ＭＳＣ／ＶＬＲに端末接続／位置登録要求が送信されると（ステップＳ５０１）、これを受けた第１ＭＳＣ／ＶＬＲは、第１ＨＬＲに向けて位置登録要求を送信する（ステップＳ５０２）。
【００４１】
第１ＨＬＲは、ステップＳ５０２の位置登録要求を受けて、単一番号モードの正規の契約が締結されているか否かの契約判定を行う（ステップＳ５０３）。
ステップＳ５０３で正規の契約が締結されている旨確認されたときには、第１ＭＳＣ／ＶＬＲに加入者プロファイルがダウンロードされる（ステップＳ５０４）。このステップＳ５０４では、Ａ番号のＩＭＳＩ、Ｂ番号のＩＭＳＩ、Ａ番号（即ち、第１電話番号）、および、正規の契約が締結されている旨のコードが、第１ＨＬＲから第１ＭＳＣ／ＶＬＲに送信される。
【００４２】
ステップＳ５０４でのデータ（コード）の移送を受けて、第１ＭＳＣ／ＶＬＲは、Ａ番号のＩＭＳＩ、Ａ番号（即ち、第１電話番号）、および、プロファイル等を保持する（ステップＳ５０５）。
第１ＭＳＣ／ＶＬＲは、ステップＳ５０５で保持したデータ（コード）に基づいて、契約情報に照らしてＢ番号（即ち、第２電話番号）に関する位置登録が必要であることを判定する（ステップＳ５０６）。
ステップＳ５０６での判定に基づいて、第１ＭＳＣ／ＶＬＲは、第２ＨＬＲに対し、Ｂ番号のＩＭＳＩとＢ番号（即ち、第２電話番号）に関する正規の契約が締結されている旨のコードとを伴なって、位置登録要求を発する（ステップＳ５０７）。
【００４３】
第２ＨＬＲは、ステップＳ５０７の位置登録要求を受けてモード判定を実行する（ステップＳ５０８）。
ステップＳ５０８で単一番号モードが選択されている旨判定されたときには、第１ＭＳＣ／ＶＬＲに加入者プロファイルがダウンロードされる（ステップＳ５０９）。但し、第１ＵＥにおいて単一番号モードが選択されている場合には、このステップＳ５０９では、単にプロファイルデータの様式を模したヌルデータ（図中“Null”と表記）が第２ＨＬＲから第１ＭＳＣ／ＶＬＲに送信される。
【００４４】
ステップＳ５０９でのデータ（コード）の移送を受けても、単一番号モードであるため、第１ＭＳＣ／ＶＬＲは、Ｂ番号のＩＭＳＩ、Ｂ番号（即ち、第２電話番号）、および、プロファイル等を保持は行われない（ステップＳ５１０…破線図示の仮想的ステップ）。
この結果、ステップＳ５０５およびステップＳ５１０（仮想的ステップ）を経ても、第１ＭＳＣ／ＶＬＲでは、Ａ番号についてのみ、ＩＭＳＩ、電話番号、および、プロファイル等が保持され、Ａ番号でのみ受発信が可能である。
【００４５】
第１ＭＳＣ／ＶＬＲは、ステップＳ５０９でデータ（コード）の移送を受けると、第１ＨＬＲに対しダウンロード完了応答を発する（ステップＳ５１１）。
ステップＳ５１１の応答を受けて、第１ＨＬＲは、第１ＭＳＣ／ＶＬＲに位置登録更新完了応答を返す（ステップＳ５１２）。
ステップＳ５１２の応答を受けて、第１ＭＳＣ／ＶＬＲは、第１ＵＥに位置登録更新完了応答を転送する（ステップＳ５１３）。
【００４６】
図６は、第１の移動端末装置（第１ＵＥ）が複数番号モードに設定されている状態では、第２の移動端末装置（第２ＵＥ）を用いた位置登録は行われない状況を表すシーケンスチャートである。
図６に表記のとおり、第１ＵＥにおいて「複数番号モード」が選択されている場合を想定しており、この状態で、第２ＵＥから第２ＭＳＣ／ＶＬＲに端末接続／位置登録要求が送信されると（ステップＳ６０１）、これを受けた第２ＭＳＣ／ＶＬＲは、第２ＨＬＲに向けて位置登録要求を送信する（ステップＳ６０２）。
【００４７】
第２ＨＬＲは、ステップＳ６０２の位置登録要求を受けて、複数番号モードの正規の契約が締結されているか否かの契約判定を行う（ステップＳ６０３）。
ステップＳ６０３で正規の契約が締結されている旨確認されたときには、第２ＭＳＣ／ＶＬＲに加入者プロファイルがダウンロードされる（ステップＳ６０４）。但し、第１ＵＥにおいて複数番号モードが選択されている場合には、このステップＳ６０４では、単に様式を模したヌルデータ（図中“Null”と表記）が第２ＨＬＲから第１ＭＳＣ／ＶＬＲに送信される。
【００４８】
ステップＳ６０４でのデータ（ヌルデータ）の移送を受けても、複数番号モードが第１ＵＥについて選択されている場合には、第２ＭＳＣ／ＶＬＲは、プロファイルの保持は行わない（ステップＳ６０５…破線図示の仮想的ステップ）。従って、第１ＵＥが複数番号モードにあるときには、第２ＵＥ側での受発信はできない。
図７は、第１の移動端末装置（第１ＵＥ）が他機独立通信モードに設定されている状態では、第２の移動端末装置（第２ＵＥ）が独立に他の電話番号を用いて位置登録が行われる状況を表すシーケンスチャートである。
【００４９】
図７に表記のとおり、第１ＵＥにおいて「他機独立通信モード」が選択されている場合を想定しており、この状態で、第２ＵＥから第２ＭＳＣ／ＶＬＲに端末接続／位置登録要求が送信されると（ステップＳ７０１）、これを受けた第２ＭＳＣ／ＶＬＲは、第２ＨＬＲに向けて位置登録要求を送信する（ステップＳ７０２）。
第２ＨＬＲは、ステップＳ７０２の位置登録要求を受けて、他機独立通信モードの正規の契約が締結されているか否かの契約判定を行う（ステップＳ７０３）。
【００５０】
ステップＳ７０３で正規の契約が締結されている旨確認されたときには、第２ＭＳＣ／ＶＬＲに加入者プロファイルがダウンロードされる（ステップＳ７０４）。このステップＳ７０４では、Ｂ番号のＩＭＳＩ、Ｂ番号（即ち、第２電話番号）、および、正規の契約が締結されている旨のコードが、第２ＨＬＲから第２ＭＳＣ／ＶＬＲに送信される。
ステップＳ７０４でのデータ（コード）の移送を受けて、第２ＭＳＣ／ＶＬＲは、Ｂ番号のＩＭＳＩ、Ｂ番号（即ち、第２電話番号）、および、プロファイル等を保持する（ステップＳ７０５）。従って、第２ＵＥ側は、第１ＵＥとは独立にＢ番号を用いて受発信を行うことができる。即ち、他機独立通信モードが実現される。
【００５１】
次に、図面を参照して本発明の一つの実施の形態としての移動端末装置について説明する。
図８は、本発明の一つの実施の形態としての移動端末装置を表すブロック図である。既述の図１ないし図７の、各移動端末装置（１５１、１５２、第１ＵＥ、第２ＵＥ）は、この図８に例示する構成を採り得る。
この移動端末装置８００は、アンテナ８０１が接続されたＲＦ送受信部８０２、マイクロフォン８０３およびスピーカ８０４が接続されたベースバンド部８０５、表示部８０６、操作部８０７、および、メモリ部８０９がシステムコントローラ８１０の管理下で作動するように構成されている。
【００５２】
ＲＦ送受信部８０２はＲＦ（無線周波数）域でのアナログ信号処理を行う。ベースバンド部８０５は音声通話に用いるマイクロフォン８０３およびスピーカ８０４に関連するＣＤＭＡの信号処理や音声コーデックの信号処理を行う。
表示部８０６は、この移動端末装置８００の操作に関連する表示および受発信のデータに関する表示を行う。
操作部８０７は、この移動端末装置８００に対するユーザの操作を受け付ける操作子群を含んで構成され、特に、上述の他機独立通信モードに遷移させる操作を受け付けるモード遷移操作子を含むモード遷移操作部８０８が設けられている。尚、他機独立通信モードに遷移させるためのモード遷移操作子は、該当する動作モードに対する専用の単一の操作子を配した態様や、該当する操作子を一定時間以上押し続ける（所謂、長押しする）ことによって現在のモードから他のモードへと遷移させる態様のものであってもよい。また、所定の複数の操作子を例えば同時に操作する等の特定の操作態様に応じてモードを選択する態様のものであってもよい。
【００５３】
ユーザが所要に応じてモード遷移操作部８０８の該当するモード遷移操作子を操作することによって、この移動端末装置８００は、図３を参照して既述の如く他機独立通信モードに遷移する。
メモリ部８０９のブロックは、ＲＯＭ部とＲＡＭ部とをまとめて表記したものである。このＲＯＭ部にはこの移動端末装置８００の動作を統括的に管理するシステムコントローラ８１０用のシステムプログラムが格納されている。また、ＲＡＭ部には種々の動作や演算に関連するデータが一時的に或いは一定期間保持される。
【００５４】
以上の構成を有する移動端末装置８００では、モード遷移操作部８０８に対するユーザの操作に基づいてシステムコントローラ８１０が動作モードの切替えを実行する。動作モードの切替わりは、より具体的には、移動端末装置８００への操作のみならず、この操作に応答して該当するホームロケーションレジスタおよび該当する交換機の関与のもとに実行され、その詳細については、図２ないし図７を参照して既述のとおりである。
【符号の説明】
【００５５】
１００………………呼接続制御システム
１０１………………顧客管理システム
１１０………………第１のホームロケーションレジスタ
１１１………………登録情報保持部
１１５………………ＩＭＳＩ保持部
１２０………………第２のホームロケーションレジスタ
１２１………………登録情報保持部
１２５………………仮想ＩＭＳＩ保持部
１３０………………第１ＭＳＣ／ＶＬＲ
１４０………………第２ＭＳＣ／ＶＬＲ
１５１………………移動端末装置
１５２………………移動端末装置
１６０………………ＧＭＳＣ
８００………………移動端末装置
８０１………………アンテナ
８０２………………ＲＦ送受信部
８０３………………マイクロフォン
８０４………………スピーカ
８０５………………ベースバンド部
８０６………………表示部
８０７………………操作部
８０８………………モード遷移操作部
８０９………………メモリ部
８１０………………システムコントローラ
【図１】
2011049972.tif 000003
【図２】
2011049972.tif 000004
【図３】
2011049972.tif 000005
【図４】
2011049972.tif 000006
【図５】
2011049972.tif 000007
【図６】
2011049972.tif 000008
【図７】
2011049972.tif 000009
【図８】
2011049972.tif 000010